(57)【要約】  【課題】防水コネクタの構造を複雑にすることなく、また、防水コネクタへの挿入の向きに関わらずに優れた防水性を得ることができるダミーピンを提供する。  【解決手段】ダミーピン４１は、防水コネクタの少なくとも１つの端子挿入口に挿入され且つ樹脂成形されたピン本体４２を備え、ピン本体４２は、防水コネクタの防水部材の２つ以上のリップ部のうち一部のリップ部を弾性圧縮してシール孔の内面に密着する円筒状のシール面４５Ａを有する防水部４５と、シール面よりも中心軸Ｃ２に向かって部分的に窪み且つ防水部材の２つ以上のリップ部のうち残りのリップ部が入り込む1つ以上の凹部４６Ｂが形成された抜け止め部４６とを有し、シール面４５Ａは、周方向の全体にわたって連続面を形成している。【選択図】  図７
2019204602.tif 000002
【特許請求の範囲】
【請求項１】
少なくとも１つの端子挿入口が形成されたハウジングと、前記ハウジング内に配置され且つ前記少なくとも１つの端子挿入口に対応すると共にそれぞれ中心軸を有する少なくとも１つのシール孔が形成された弾性変形可能な防水部材とを備え、前記少なくとも１つのシール孔は、それぞれ、前記中心軸に向かって円環状に突出し且つ前記中心軸の方向に配列された２つ以上のリップ部を有する防水コネクタに使用されるダミーピンであって、
前記少なくとも１つの端子挿入口に挿入され且つ樹脂成形されたピン本体を備え、
前記ピン本体は、前記防水部材の前記２つ以上のリップ部のうち一部のリップ部を弾性圧縮して前記シール孔の内面に密着する円筒状のシール面を有する防水部と、前記シール面よりも前記中心軸に向かって部分的に窪み且つ前記防水部材の前記２つ以上のリップ部のうち残りのリップ部が入り込む1つ以上の凹部が形成された抜け止め部とを有し、
前記シール面は、周方向の全体にわたって連続面を形成することを特徴とするダミーピン。
【請求項２】
前記ピン本体の長さ方向の一端に連結し且つ前記端子挿入口の内径よりも大きいサイズを有するヘッド部をさらに備える請求項１に記載のダミーピン。
【請求項３】
前記防水部よりも前記ピン本体の長さ方向の他端側に位置する前記ピン本体の部分は、前記シール面の外径と同一または前記シール面の外径よりも小さい外径を有する請求項２に記載のダミーピン。
【請求項４】
前記抜け止め部は、前記防水部よりも前記ピン本体の長さ方向の前記他端側に配置されている請求項３に記載のダミーピン。
【請求項５】
前記ピン本体は、前記防水部よりも前記ピン本体の長さ方向の前記一端側に前記シール面の外径よりも大きい外径を有し且つ前記端子挿入口に嵌合する嵌合部を有する請求項１〜４のいずれか一項に記載のダミーピン。
【請求項６】
前記嵌合部の表面に少なくとも１つの圧入用リブを有する請求項５に記載のダミーピン。
【発明の詳細な説明】
【技術分野】
【０００１】
この発明は、ダミーピンに係り、特に、防水コネクタの複数の端子挿入口のうち端子が挿入されない端子挿入口に挿入されるダミーピンに関する。
【背景技術】
【０００２】
従来から、防水コネクタとして、複数の端子挿入口が形成されたハウジングに、複数の端子挿入口に対応する複数のシール孔が形成されたシール部材を装着し、端子をハウジングの端子挿入口からシール部材のシール孔を通してハウジング内の対応する端子収容部に挿入するようにしたものが知られている。
この種の防水コネクタにおいては、複数の端子挿入口のうち端子が挿入されない端子挿入口が存在する場合に、防水コネクタ内への浸水を防止するために、端子が挿入されない端子挿入口を塞ぐ必要がある。
【０００３】
そこで、例えば、特許文献１には、図１５に示されるように、端子挿入口を塞ぐための樹脂からなるダミーピン１が開示されている。ダミーピン１は、直方体形状の本体２から前方に突出する円柱状のシール部３と、本体２の上面および下面にそれぞれ突出形成された引っ掛け部４と、本体２の後部に形成された鍔部５を有している。
図１６に示されるように、防水コネクタ６は、ハウジング７の端子収容部７Ａに連通する凹部７Ｂ内にシール部材８が配置され、ハウジング７の後端部にカバー９が取り付けられた構造を有している。カバー９に形成された端子挿入口９Ａにダミーピン１が挿入されると、ダミーピン１のシール部３がシール部材８のシール孔８Ａの内側に嵌り込むことで、端子収容部７Ａへの浸水が防止される。
【０００４】
また、ダミーピン１を防水コネクタ６に対して強く押し込むと、ダミーピン１の引っ掛け部４がカバー９の端子挿入口９Ａの上縁および下縁に突出形成された突起９Ｂを乗り越えて、突起９Ｂがダミーピン１の引っ掛け部４と鍔部５の間に位置し、これにより、防水コネクタ６からのダミーピン１の抜け止めがなされる。
【先行技術文献】
【特許文献】
【０００５】
【特許文献１】特開２００４−７１２００号公報
【発明の概要】
【発明が解決しようとする課題】
【０００６】
しかしながら、特許文献１に開示されたダミーピン１は、本体２の上面および下面にそれぞれ突出形成された引っ掛け部４が、カバー９の端子挿入口９Ａの上縁および下縁にそれぞれ突出形成された突起９Ｂに引っ掛かることで抜け止めがなされるので、引っ掛け部４が上下方向に突出するという特定の向きでなければ、ダミーピン１を防水コネクタ６に正常に挿入することができない。
また、ダミーピン１の抜け止めを行うために、ダミーピン１に引っ掛け部４を突出形成するだけでなく、防水コネクタ６の部品であるカバー９の端子挿入口９Ａの上縁および下縁にそれぞれ突起９Ｂを突出形成する必要があり、防水コネクタ６の構造が複雑になるという問題がある。
【０００７】
さらに、図１５に示されるように、本体２の上面および下面にそれぞれ引っ掛け部４が突出形成された構造のダミーピン１を樹脂成形するには、成形後に金型からのダミーピン１の取り出しを可能とするために、金型として、ダミーピン１のシール部３が延びる中心軸に直交する方向に分割される金型を使用する必要がある。
従って、成形後のシール部３の外周面に、金型の分割面に起因する、中心軸方向に沿ったパーティングラインが発生し、シール部３の外周面が一周にわたって連続面を形成することができなくなる。パーティングラインは、突起、段差等を形成する要因となるため、このようなダミーピン１を防水コネクタ６に挿入しても、防水コネクタ６におけるシール部材８のシール孔８Ａの内面とダミーピン１のシール部３との密着度が不十分となり、防水性が低下するおそれがある。
【０００８】
この発明は、このような従来の問題点を解消するためになされたもので、防水コネクタの構造を複雑にすることなく、また、防水コネクタへの挿入の向きに関わらずに優れた防水性を得ることができるダミーピンを提供することを目的とする。
【課題を解決するための手段】
【０００９】
この発明に係るダミーピンは、少なくとも１つの端子挿入口が形成されたハウジングと、ハウジング内に配置され且つ少なくとも１つの端子挿入口に対応すると共にそれぞれ中心軸を有する少なくとも１つのシール孔が形成された弾性変形可能な防水部材とを備え、少なくとも１つのシール孔は、それぞれ、中心軸に向かって円環状に突出し且つ中心軸の方向に配列された２つ以上のリップ部を有する防水コネクタに使用されるダミーピンであって、少なくとも１つの端子挿入口に挿入され且つ樹脂成形されたピン本体を備え、ピン本体は、防水部材の２つ以上のリップ部のうち一部のリップ部を弾性圧縮して前記シール孔の内面に密着する円筒状のシール面を有する防水部と、シール面よりも中心軸に向かって部分的に窪み且つ防水部材の２つ以上のリップ部のうち残りのリップ部が入り込む1つ以上の凹部が形成された抜け止め部とを有し、シール面は、周方向の全体にわたって連続面を形成するものである。
【００１０】
ピン本体の長さ方向の一端に連結し且つ端子挿入口の内径よりも大きいサイズを有するヘッド部をさらに備えることが好ましい。
防水部よりもピン本体の長さ方向の他端側に位置するピン本体は、シール面の外径と同一またはシール面の外径よりも小さい外径を有することが好ましい。
抜け止め部は、防水部よりもピン本体の長さ方向の他端側に配置されることが好ましい。
ピン本体は、防水部よりもピン本体の長さ方向の一端側にシール面の外径よりも大きい外径を有し且つ端子挿入口に嵌合する嵌合部を有することが好ましい。
さらに、嵌合部の表面に少なくとも１つの圧入用リブを有することができる。
【発明の効果】
【００１１】
この発明によれば、ピン本体が、防水部材の２つ以上のリップ部のうち一部のリップ部に密着する円筒状のシール面を有する防水部と、シール面よりも中心軸に向かって部分的に窪み且つ防水部材の２つ以上のリップ部のうち残りのリップ部が入り込む1つ以上の凹部が形成された抜け止め部とを有し、シール面は、周方向の全体にわたって連続面を形成するので、防水コネクタの構造を複雑にすることなく、また、防水コネクタへの挿入の向きに関わらずに優れた防水性を得ることが可能となる。
【図面の簡単な説明】
【００１２】
【図１】防水コネクタを示す斜視図である。
【図２】防水コネクタを示す正面図である。
【図３】図２のＡ−Ａ線断面図である。
【図４】防水コネクタに端子が挿入される状態を示す斜視図である。
【図５】端子が挿入された防水コネクタを示す側面断面図である。
【図６】防水コネクタに実施の形態１に係るダミーピンが挿入される状態を示す斜視図である。
【図７】実施の形態１に係るダミーピンを示す斜視図である。
【図８】実施の形態１に係るダミーピンを示す側面図である。
【図９】実施の形態１に係るダミーピンを成形するための成形用金型を示す側面断面図である。
【図１０】ダミーピンが挿入された防水コネクタを示す斜視図である。
【図１１】ダミーピンが挿入された防水コネクタを示す側面断面図である。
【図１２】実施の形態１の変形例に係るダミーピンを示す側面図である。
【図１３】実施の形態２に係るダミーピンを示す斜視図である。
【図１４】実施の形態２に係るダミーピンを示す側面図である。
【図１５】従来のダミーピンを示す斜視図である。
【図１６】従来のダミーピンが挿入された防水コネクタを示す側面断面図である。
【発明を実施するための形態】
【００１３】
以下、この発明の実施の形態を添付図面に基づいて説明する。
実施の形態１
図１および図２に、この発明に係るダミーピンが適用される防水コネクタ１１を示す。防水コネクタ１１は、樹脂から形成されたハウジング１２を有しており、ハウジング１２の前面１２Ａには、図示しない相手側コネクタとの嵌合時に、それぞれ相手側コネクタの端子が挿入される２つの前面開口部１３および１４が形成され、前面１２Ａとは反対側の後面１２Ｂに、２つの端子挿入口１５および１６が開口している。
ハウジング１２は、ハウジング本体１７と、ハウジング本体１７の後部に配置されたリアカバー１８とから構成されており、ハウジング本体１７に、前面開口部１３および１４が形成され、リアカバー１８に、端子挿入口１５および１６が形成されている。
【００１４】
ここで、便宜上、ハウジング１２の前面１２Ａから後面１２Ｂに向かう方向を＋Ｙ方向、２つの端子挿入口１５および１６が配列されている方向をＸ方向、ＸＹ面に垂直な方向をＺ方向と呼ぶものとする。図示しない相手側コネクタは、−Ｙ方向から＋Ｙ方向に向けて防水コネクタ１１に嵌合されることとなる。
【００１５】
図３は、端子挿入口１５の位置で切断した防水コネクタ１１の側面断面図である。ハウジング本体１７の内部に、端子挿入口１５に連通する凹状の端子収容部１９が形成されている。
また、ハウジング本体１７の内部には、端子収容部１９の＋Ｙ方向側に隣接して凹部２０が形成され、この凹部２０に、防水部材２１が配置されている。防水部材２１は、例えば、ゴム材等の弾性変形可能な材料からなり、防水部材２１に、端子挿入口１５に連通し且つ中心軸Ｃ１を有するシール孔２２が形成されている。シール孔２２の内部には、それぞれ、中心軸Ｃ１に向かって円環状に突出し且つ中心軸Ｃ１の方向に配列された２つのリップ部２３および２４が形成されている。
【００１６】
２つのリップ部２３および２４は、それぞれ、リアカバー１８の端子挿入口１５の内径よりも小さい内径を有し、リップ部２３は、リップ部２４よりもハウジング１２の後面１２Ｂ側、すなわち、＋Ｙ方向側に位置している。
ハウジング本体１７の後部にリアカバー１８を固定することで、防水部材２１は凹部２０内に保持されている。
【００１７】
図３には示されていないが、ハウジング本体１７の内部には、端子挿入口１５に連通する端子収容部１９と同様に、端子挿入口１６に連通する端子収容部１９も形成され、防水部材２１には、端子挿入口１５に連通するシール孔２２と同様に、端子挿入口１６に連通するシール孔２２も形成され、端子挿入口１６に連通するシール孔２２の内部に２つのリップ部２３および２４が形成されている。すなわち、２つの端子挿入口１５および１６に対応して、ハウジング本体１７の内部に２つの端子収容部１９が形成され、防水部材２１に２つのシール孔２２が形成されている。
【００１８】
図４に示されるように、防水コネクタ１１に使用される端子３１は、電線３２の端部に接続されており、端子３１を、例えば防水コネクタ１１の端子挿入口１５から−Ｙ方向に挿入することで、端子３１が防水コネクタ１１の内部に取り付けられる。なお、電線３２は、防水部材２１の２つのリップ部２３および２４の内径よりも大きい外径を有しているものとする。
【００１９】
端子３１を防水コネクタ１１の端子挿入口１５から−Ｙ方向に挿入すると、図５に示されるように、端子３１は、端子挿入口１５から防水部材２１のシール孔２２を通ってハウジング本体１７内の端子収容部１９に収容される。このとき、端子３１に接続されている電線３２が防水部材２１のシール孔２２に挿入され、シール孔２２内に突出形成されている２つのリップ部２３および２４を弾性圧縮しながらシール孔２２の内面に密着する。これにより、端子挿入口１５を通って端子収容部１９に水が浸入することが防止される。
なお、図４および図５に示される端子３１は、レセプタクル端子であり、図示しない相手側コネクタとの嵌合時に、相手側コネクタのプラグ端子が、前面開口部１３を通って端子３１内に挿入され、端子３１と電気的に接続される。
【００２０】
このようにして、防水コネクタ１１の２つの端子挿入口１５および１６にそれぞれ端子３１が挿入される場合には、防水部材２１に形成されている２つのシール孔２２に、それぞれ、端子３１に接続されている電線３２が嵌り込むことにより、防水コネクタ１１内への浸水が防止される。しかしながら、２つの端子挿入口１５および１６のうち一方の端子挿入口１５にのみ端子３１が挿入され、他方の端子挿入口１６が使用されずに、端子挿入口１６に端子３１が挿入されない場合には、防水コネクタ１１内への浸水を防止するために、端子挿入口１６を塞ぐ必要がある。
【００２１】
そこで、図６に示されるように、実施の形態１に係るダミーピン４１が防水コネクタ１１の端子挿入口１６に挿入される。
ダミーピン４１は、図７および図８に示されるように、中心軸Ｃ２に沿って延びるピン状部材であり、樹脂成形により作製されている。ダミーピン４１は、ピン本体４２と、ピン本体４２の長さ方向の一端、すなわち、＋Ｙ方向端部に連結されたヘッド部４３とから構成されている。
【００２２】
ピン本体４２は、ダミーピン４１が防水コネクタ１１の端子挿入口１６に挿入されたときに、防水コネクタ１１のハウジング１２内に収容されるもので、ヘッド部４３が連結された＋Ｙ方向端部から−Ｙ方向端部に向かって順次配列された嵌合部４４と防水部４５と抜け止め部４６とを有している。
【００２３】
防水部４５は、円筒状のシール面４５Ａを有している。シール面４５Ａは、防水コネクタ１１内に配置された防水部材２１のリップ部２３および２４の内径よりも大きい外径を有しており、周方向の全体にわたって連続面を形成している。このシール面４５Ａは、ダミーピン４１が防水コネクタ１１の端子挿入口１６に挿入されたときに、防水部材２１のシール孔２２に挿入され、シール孔２２の内部に形成されている２つのリップ部２３および２４のうち＋Ｙ方向側に位置するリップ部２３を弾性圧縮してシール孔２２の内面に密着するものである。
【００２４】
抜け止め部４６は、防水部４５の−Ｙ方向側に隣接して配置され、防水部４５のシール面４５Ａに連続し且つシール面４５Ａと同一の外径を有する円筒状の外周面４６Ａと、外周面４６Ａに形成され且つダミーピン４１の中心軸Ｃ２に直交する方向において互いに反対方向を向いた一対の凹部４６Ｂとを有している。一対の凹部４６Ｂは、ダミーピン４１が防水コネクタ１１の端子挿入口１６に挿入されたときに、防水部材２１の２つのリップ部２３および２４のうち−Ｙ方向側に位置するリップ部２４が入り込むことで、ダミーピン４１の抜け止めを行うものである。なお、図８に示されるように、凹部４６Ｂの＋Ｙ方向の端面は、凹部４６Ｂの底面に対して鈍角方向に傾斜しているが、凹部４６Ｂの−Ｙ方向の端面は、凹部４６Ｂの底面に対して直立している。
このように、ピン本体４２は、防水部４５よりも−Ｙ方向側に位置する部分が、シール面４５Ａの外径と同一またはシール面４５Ａの外径よりも小さい外径を有するように構成されている。
【００２５】
嵌合部４４は、防水部４５のシール面４５Ａの外径よりも大きく且つ端子挿入口１６の内径よりもわずかに小さい外径を有する円筒状の外周面４４Ａを有し、ダミーピン４１が防水コネクタ１１の端子挿入口１６に挿入されたときに、端子挿入口１６に嵌合するものである。
【００２６】
また、ピン本体４２の＋Ｙ方向端部に連結されているヘッド部４３は、防水コネクタ１１の端子挿入口１６の内径よりも大きい外径を有しており、ダミーピン４１が防水コネクタ１１の端子挿入口１６に挿入されたときに、端子挿入口１６が開口しているハウジング１２の後面１２Ｂに接触するストッパとして機能するものである。
【００２７】
このようなダミーピン４１は、例えば、図９に示されるような成形用金型を使用して樹脂成形により作製することができる。
成形用金型は、固定型５１と、固定型５１に対してＹ方向に移動可能に配置された稼動型５２と、稼動型５２に組み込まれ且つ稼動型５２の移動に連動してＺ方向にスライドする一対のスライド型５３とから構成されている。
【００２８】
固定型５１には、ダミーピン４１のヘッド部４３に対応するキャビティ５４が形成されると共にキャビティ５４に溶融樹脂Ｒを注入するための図示しないゲートが形成されている。
稼動型５２には、ダミーピン４１のピン本体４２に対応するキャビティ５６が形成されている。すなわち、固定型５１と稼動型５２との分割面は、ダミーピン４１の中心軸Ｃ２に直交する、ピン本体４２とヘッド部４３との境界に設定されている。
【００２９】
稼動型５２に組み込まれている一対のスライド型５３の先端部は、ダミーピン４１の抜け止め部４６の一対の凹部４６Ｂに対応した形状を有しており、図９に示されるように、稼動型５２が固定型５１に接して成形用金型が閉じたときには、それぞれのスライド型５３が稼動型５２のキャビティ５６に向かって前進して、スライド型５３の先端部が稼動型５２のキャビティ５６内に突出する。一方、稼動型５２が固定型５１から離れて成形用金型が開いたときには、それぞれのスライド型５３が稼動型５２のキャビティ５６から後退して、スライド型５３の先端部が稼動型５２のキャビティ５６から離れる。
【００３０】
図９に示されるように、このような成形用金型を閉じることにより固定型５１のキャビティ５４と稼動型５２のキャビティ５６とを接続した状態で、固定型５１の図示しないゲートを介してキャビティ５４および５６の内部に溶融樹脂Ｒが注入される。そして、樹脂が冷却固化した後に、稼動型５２を−Ｙ方向に移動させて成形用金型が開かれる。このとき、一対のスライド型５３が稼動型５２のキャビティ５６から後退するため、成形されたダミーピン４１を固定型５１および稼動型５２からＹ方向に引き抜いて取り出すことができる。
このようにして、防水部４５のシール面４５Ａに、成形に起因するパーティングラインが発生することはなく、シール面４５Ａが周方向の全体にわたって連続面を形成しているダミーピン４１を作製することが可能となる。
なお、固定型５１と稼動型５２とを逆にして、キャビティ５４が形成されている稼動型と、キャビティ５６が形成されている固定型とから成形用金型を構成することもできる。
【００３１】
図１０に、ダミーピン４１が端子挿入口１６に挿入された防水コネクタ１１を示す。防水コネクタ１１の２つの端子挿入口１５および１６のうち一方の端子挿入口１５に図１０には示されていない端子３１が挿入されて、端子３１に接続された電線３２が端子挿入口１５から引き出されており、他方の端子挿入口１６にダミーピン４１が挿入されている。ダミーピン４１のヘッド部４３が、ハウジング１２の後面１２Ｂに接触している。
【００３２】
図１１に示されるように、ダミーピン４１が端子挿入口１６に挿入されると、ダミーピン４１の抜け止め部４６と防水部４５が防水部材２１のシール孔２２に挿入され、ダミーピン４１の嵌合部４４が端子挿入口１６に嵌合する。
ダミーピン４１の抜け止め部４６の一対の凹部４６Ｂは、防水部材２１の＋Ｙ方向側のリップ部２３を乗り越えて−Ｙ方向に移動し、防水部材２１の−Ｙ方向側のリップ部２４がダミーピン４１の抜け止め部４６の一対の凹部４６Ｂに入り込んだところで、ヘッド部４３がハウジング１２の後面１２Ｂに接触する。これにより、ダミーピン４１の端子挿入口１６への挿入が完了する。
【００３３】
このとき、ダミーピン４１の防水部４５のシール面４５Ａは、防水部材２１の＋Ｙ方向側のリップ部２３の位置にあり、シール面４５Ａがリップ部２３の内径よりも大きい外径を有することから、シール面４５Ａがリップ部２３を弾性圧縮してシール孔２２の内面に密着する。これにより、端子挿入口１６を通ってハウジング１２内に水が浸入することが防止される。
なお、ダミーピン４１の防水部４５のシール面４５Ａは、樹脂成形に起因するパーティングラインを有することなく、周方向の全体にわたって連続面を形成しているので、防水部材２１のシール孔２２の内面とダミーピン４１のシール面４５Ａとが十分に高い密着度で接触し、優れた防水性を得ることができる。
【００３４】
防水部材２１の−Ｙ方向側のリップ部２４がダミーピン４１の抜け止め部４６の一対の凹部４６Ｂに入り込んでいるため、ダミーピン４１が防水コネクタ１１から抜けることが防止され、ダミーピン４１による防水機能が維持されることとなる。
また、上述したように、ダミーピン４１の抜け止め部４６に形成されている凹部４６Ｂの−Ｙ方向の端面は、凹部４６Ｂの底面に対して直立しているため、ダミーピン４１に＋Ｙ方向に向かって引き抜こうとする外力が作用しても、凹部４６Ｂの−Ｙ方向の端面が防水部材２１のリップ部２４に引っ掛かることで、ダミーピン４１の引き抜きは効果的に防止されることとなる。従って、防水コネクタ１１の内圧が上昇するような場合であっても、ダミーピン４１が端子挿入口１６から抜けて防水コネクタ１１の内部が浸水することを防止することができる。
【００３５】
さらに、ダミーピン４１は、嵌合部４４が円筒状の外周面４４Ａを有し、防水部４５が円筒状のシール面４５Ａを有し、抜け止め部４６が円筒状の外周面４６Ａと、外周面４６Ａに形成された一対の凹部４６Ｂとを有しており、防水コネクタ１１の防水部材２１の円環状のリップ部２４がダミーピン４１の抜け止め部４６の凹部４６Ｂに入り込むので、ダミーピン４１の中心軸Ｃ２の回りの角度位置に関わらずに、ダミーピン４１を防水コネクタ１１の端子挿入口１６に正常に挿入することができる。すなわち、ダミーピン４１を、中心軸Ｃ２の回りのどのような向きに位置させても、防水コネクタ１１の端子挿入口１６に挿入して防水コネクタ１１への浸水を防止することが可能になると共に、抜け止め防止機能が発生する。
【００３６】
なお、図７および図８に示されるダミーピン４１では、ヘッド部４３が連結された＋Ｙ方向端部から−Ｙ方向端部に向かって嵌合部４４と防水部４５と抜け止め部４６とが順次配列されているが、図１２に示されるダミーピン６１のように、防水部４５が抜け止め部４６の−Ｙ方向側に位置し、ヘッド部４３から嵌合部４４と抜け止め部４６と防水部４５とが順次配列されていてもよい。
このダミーピン６１を防水コネクタ１１の端子挿入口１６に挿入した場合には、防水部４５のシール面４５Ａが防水部材２１の−Ｙ方向側のリップ部２４を弾性圧縮してシール孔２２の内面に密着し、抜け止め部４６の凹部４６Ｂに防水部材２１の＋Ｙ方向側のリップ部２３が入り込んでダミーピン６１の抜け止めがなされる。
【００３７】
なお、ダミーピン４１および６１においては、抜け止め部４６が、互いに反対方向を向いた一対の凹部４６Ｂを有しているが、これに限るものではなく、抜け止め部４６が、１つの凹部４６Ｂのみを有していても、この凹部４６Ｂに防水部材２１のリップ部２３または２４が入り込むことで、ダミーピン４１および６１の抜け止めを行うことができる。また、抜け止め部４６が、３つ以上の凹部４６Ｂを有していても、同様に、ダミーピン４１および６１の抜け止めを行うことが可能となる。
【００３８】
なお、防水コネクタ１１の防水部材２１は、シール孔２２の内部に突出形成された２つのリップ部２３および２４を有しているが、これに限るものではなく、シール孔２２の内部に、それぞれ、中心軸Ｃ１に向かって円環状に突出し且つ中心軸Ｃ１の方向に配列された３つ以上のリップ部を有していてもよい。この場合、ダミーピン４１または６１の防水部４５のシール面４５Ａが３つ以上のリップ部のうちの一部のリップ部を弾性圧縮してシール孔２２の内面に密着し、ダミーピン４１または６１の抜け止め部４６の凹部４６Ｂに３つ以上のリップ部のうち残りのリップ部が入り込む。
【００３９】
また、防水コネクタ１１は、２つの端子挿入口１５および１６を有しているが、これに限るものではなく、３つ以上の端子挿入口を有する防水コネクタに、ダミーピン４１または６１を適用することもできる。防水コネクタは、３つ以上の端子挿入口に対応してハウジング内に３つ以上の端子収容部を有し、ハウジング内に配置される防水部材は、３つ以上の端子挿入口に対応して３つ以上のシール孔を有し、それぞれのシール孔の内部に２つ以上のリップ部が形成されていればよい。防水コネクタの３つ以上の端子挿入口のうち、一部の端子挿入口に端子が挿入され、端子が挿入されない端子挿入口にダミーピン４１または６１を挿入することで、防水コネクタ内への浸水を防止することができる。
【００４０】
実施の形態２
実施の形態２に係るダミーピン７１を図１３および図１４に示す。このダミーピン７１は、図７および図８に示される実施の形態１のダミーピン４１において、嵌合部４４の代わりに嵌合部７４が、ヘッド部４３と防水部４５との間に配置されたものであり、その他の構成は、実施の形態１のダミーピン４１と同様である。嵌合部７４は、防水部４５のシール面４５Ａの外径よりも大きく且つ防水コネクタ１１の端子挿入口１６の内径よりもわずかに小さい外径を有する円筒状の外周面７４Ａと、外周面７４Ａの表面上に形成された複数の圧入用リブ７４Ｂを有している。
【００４１】
複数の圧入用リブ７４Ｂは、外周面７４Ａの周方向に均等な間隔を隔てて配置され、それぞれ、ダミーピン７１の中心軸Ｃ２に平行に延びている。複数の圧入用リブ７４Ｂのそれぞれの頂部、すなわち、中心軸Ｃ２から最も離れている部分は、防水コネクタ１１の端子挿入口１６の内径よりもわずかに大きい直径を有する円周上に位置しており、ダミーピン７１が防水コネクタ１１の端子挿入口１６に挿入された場合に、複数の圧入用リブ７４Ｂが端子挿入口１６に圧入されるように構成されている。
このように、実施の形態２に係るダミーピン７１は、実施の形態１のダミーピン４１よりもさらに防水コネクタ１１から引き抜かれにくい構造を有しており、ダミーピン７１による防水機能を確実に維持することが可能となる。
【００４２】
なお、上記のダミーピン４１、６１、７１のヘッド部４３は、円柱形状を有しているが、これに限るものではない。ヘッド部４３は、ダミーピン４１、６１、７１が防水コネクタ１１の端子挿入口１６に挿入されたときのストッパとして機能すればよく、例えば、端子挿入口１６の内径よりも大きいサイズの多角柱形状を有していてもよい。
【００４３】
また、成形用金型におけるスライド型の作り方により、ダミーピンのシール面よりも中心軸に向かって部分的に窪む凹部の形状はさまざまに変更可能である。
図９に示される構成の成形用金型を用いてダミーピンを成形する場合、嵌合部４４の円筒状の外周面４４Ａ、防水部４５の円筒状のシール面４５Ａ、抜け止め部４６の円筒状の外周面４６Ａは、−Ｙ方向に向かって直径が漸減するほうが成形用金型から抜けやすくなるが、−Ｙ方向に向かって直径が漸減する形状であっても、漸減しない形状のダミーピンと比較して防水機能と抜け止め機能に変わりはない。
【符号の説明】
【００４４】
１  ダミーピン、２  本体、３  シール部、４  引っ掛け部、５  鍔部、６  防水コネクタ、７  ハウジング、７Ａ  端子収容部、７Ｂ  凹部、８  シール部材、８Ａ  シール孔、９  カバー、９Ａ  端子挿入口、９Ｂ  突起、１１  防水コネクタ、１２  ハウジング、１２Ａ  前面、１２Ｂ  後面、１３，１４  前面開口部、１５，１６  端子挿入口、１７  ハウジング本体、１８  リアカバー、１９  端子収容部、２０  凹部、２１  防水部材、２２  シール孔、２３，２４  リップ部、３１  端子、３２  電線、４１，６１，７１  ダミーピン、４２  ピン本体、４３  ヘッド部、４４，７４  嵌合部、４４Ａ，７４Ａ  外周面、４５  防水部、４５Ａ  シール面、４６  抜け止め部、４６Ａ  外周面、４６Ｂ  凹部、５１  固定型、５２  稼動型、５３  スライド型、５４，５６  キャビティ、７４Ｂ  圧入用リブ、Ｃ１，Ｃ２  中心軸、Ｒ  溶融樹脂。
【図１】
2019204602.tif 000003
【図２】
2019204602.tif 000004
【図３】
2019204602.tif 000005
【図４】
2019204602.tif 000006
【図５】
2019204602.tif 000007
【図６】
2019204602.tif 000008
【図７】
2019204602.tif 000009
【図８】
2019204602.tif 000010
【図９】
2019204602.tif 000011
【図１０】
2019204602.tif 000012
【図１１】
2019204602.tif 000013
【図１２】
2019204602.tif 000014
【図１３】
2019204602.tif 000015
【図１４】
2019204602.tif 000016
【図１５】
2019204602.tif 000017
【図１６】
2019204602.tif 000018